(57)【要約】      （修正有）【課題】蛍光ランプのガス漏れを正確に検知することができる電子安定器を提供する。【解決手段】蛍光ランプ２００両端による電圧差が大きくなると、高くなったインダクタンス素子Ｔ０１の電位がセンス部４１により検出され、検出信号として出力される。制御部の駆動回路４３１により、この検出信号を整流して駆動電位として出力する。駆動電位がツェナーダイオードＺ０１のツェナー電圧以上であると、ツェナーダイオードＺ０１をなだれ的に導通させ、ダイオードＤ０３を導通させる。ダイオードＺ０１、Ｄ０３の導通により保護モジュールが作動され、高周波共振点灯モジュール３を動作不能にする。従って、蛍光ランプ２００の点灯を停止することができ、電子安定器の破壊を避けることができる。【選択図】図１
0003157446.tif 000002
【実用新案登録請求の範囲】
【請求項１】
電源と蛍光ランプとの間に配置される蛍光ランプを点灯するための電子安定器において、
前記蛍光ランプの両端に電気的に接続され、蛍光ランプを点灯させる高周波電圧を生成して発振する高周波共振点灯モジュールと、
信号が入出力可能に前記高周波共振点灯モジュールに接続され、前記高周波共振点灯モジュールを動作不能にして点灯させないように作動される保護モジュールと、
信号が入出力可能に前記高周波共振点灯モジュール及び前記保護モジュールの間に接続されたガス漏えい検出モジュールと、を含み、
前記ガス漏えい検出モジュールは、
信号が入出力可能に前記高周波共振点灯モジュールに接続され、前記高周波共振点灯モジュールによる電圧差に応じて検出信号を生成して出力するセンス部と、
信号が入出力可能に前記センス部に接続され、前記センス部からの検出信号における所定周波数以上の周波数をろ過除去するろ過部と、
信号が入出力可能に前記ろ過部及び前記保護モジュールの間に接続され、前記ろ過部からのろ過除去された検出信号の電位が所定電位値以上のとき、制御信号を生成して前記保護モジュールへ出力し、前記保護モジュールが作動されて前記高周波共振点灯モジュールを動作不能にして、蛍光ランプを点灯させないようにする制御部と
を備えることを特徴とする電子安定器。
【請求項２】
前記高周波共振点灯モジュールは、前記蛍光ランプの一端に電気的に接続されたインダクタンス素子を有し、
前記センス部が誘導コイルで構成され、該誘導コイルで前記インダクタンス素子による電圧差を検出して前記検出信号を出力することを特徴とする請求項１に記載の電子安定器。
【請求項３】
前記制御部は、
前記ろ過除去された検出信号を整流して駆動電位として出力する駆動回路と、
前記駆動回路及び前記保護モジュールの間に電気的に接続され、前記駆動回路からの駆動電位が所定の値以上であると、なだれ的に導通されて前記保護モジュールを駆動させるツェナーダイオードとを備えることを特徴とする請求項２に記載の電子安定器。
【考案の詳細な説明】
【技術分野】
【０００１】
本考案は、蛍光ランプの点灯を安定にするために用いられる電子安定器に関する。
【背景技術】
【０００２】
一般に、蛍光ランプは負特性のため電源に直接接続した場合、一旦ランプ電流が流れ始めると急激に電流が増大して、瞬時に発光管の電極や封着部が破壊されてしまう。それに対し、数十ＫＨｚの高周波で発振して蛍光ランプを点灯させる電子式安定器を交流電源とランプとの間に挿入接続した蛍光ランプは、ランプ電流を適正に制御しランプの放電を安定な状態に維持することができ、騒音や、ちらつきが少なく、照明に使用される電力も削減でき、また蛍光ランプの寿命を延ばすことができる。このため、このような蛍光ランプが一般化されつつある。
【考案の概要】
【考案が解決しようとする課題】
【０００３】
蛍光ランプを使用していくと、通常蛍光ランプの老化によりガスの漏えいをきたし赤くなりつつも点灯し、その後やがて点灯しなくなる。蛍光ランプが赤く点灯するとき、ランプの両端が高電圧状態であるため、ユーザーが誤って触ると感電する虞れがある上、電圧の変化によって、安定器の焼損をきたす虞れもある。
【０００４】
そこで、ガスの漏えいを検知可能なガス漏えい防止保護手段を設けることにより、蛍光ランプの老化によるガスの漏えいを防ぎ安全性を向上させようとするが、長いコードを介して遠距離配置の蛍光ランプを点灯させるとき、長いコード上の浮遊容量が大きいため、そのガス漏えい防止保護手段は、蛍光ランプにガスが漏えいしているとみなして検知し、照明設備の破壊を避けようとして照明設備の電力を切るように働くため、使用上の不都合になる。また、ユーザーも使用上の安全のため、ランプの交換を行うことになるので、実際はまだ使える蛍光ランプが無駄になる問題点もある。
【０００５】
本考案は、上記問題点に鑑みてなされたものであり、蛍光ランプのガス漏れを正確に検知することができる電子安定器を提供することを目的とする。
【課題を解決するための手段】
【０００６】
上記目的を達成するため、本考案は、電源と蛍光ランプとの間に配置される蛍光ランプを点灯するための電子安定器において、前記蛍光ランプの両端に電気的に接続され、蛍光ランプを点灯させる高周波電圧を生成して発振する高周波共振点灯モジュールと、信号が入出力可能に前記高周波共振点灯モジュールに接続され、前記高周波共振点灯モジュールを動作不能にして点灯させないように作動される保護モジュールと、信号が入出力可能に前記高周波共振点灯モジュール及び前記保護モジュールの間に接続されたガス漏えい検出モジュールとを含み、前記ガス漏えい検出モジュールは、信号が入出力可能に前記高周波共振点灯モジュールに接続され、前記高周波共振点灯モジュールによる電圧差に応じて検出信号を生成して出力するセンス部と、信号が入出力可能に前記センス部に接続され、前記センス部からの検出信号における所定周波数以上の周波数をろ過除去するろ過部と、信号が入出力可能に前記ろ過部及び前記保護モジュールの間に接続され、前記ろ過部からのろ過除去された検出信号の電位が所定電位値以上のとき、制御信号を生成して前記保護モジュールへ出力し、前記保護モジュールが作動されて前記高周波共振点灯モジュールを動作不能にして、蛍光ランプを点灯させないようにする制御部とを備えることを特徴とする電子安定器を提供する。
【０００７】
前記電子安定器において、前記高周波共振点灯モジュールは、前記蛍光ランプの一端に電気的に接続されたインダクタンス素子を有し、前記センス部が誘導コイルで構成され、該誘導コイルで前記インダクタンス素子による電圧差を検出して前記検出信号を出力することが好ましい。
【０００８】
前記電子安定器において、前記制御部は、前記ろ過除去された検出信号を整流して駆動電位として出力する駆動回路と、前記駆動回路及び前記保護モジュールの間に電気的に接続され、前記駆動回路からの駆動電位が所定の値以上であると、なだれ的に導通されて前記保護モジュールを駆動することができるツェナーダイオードとを備えることが好ましい。
【考案の効果】
【０００９】
本考案の電子安定器によれば、蛍光ランプ両端における所定値以上の電圧差の検出により、ガス漏えい現象があることを正確に検出することになり、保護モジュールが作動され、高周波共振点灯回路を動作不能にすることができるので、蛍光ランプを点灯させないようにすることができる。したがって、蛍光ランプの両端による電圧差を正確に検出することができ、適宜蛍光ランプを点灯させないようにすることができるため、電子安定器の破壊を避けることができ、照明装置の使用安全性の向上を図ることができる。
【図面の簡単な説明】
【００１０】
【図１】蛍光ランプに用いられる本考案による一の実施の形態にかかる電子安定器の回路図である。
【図２】図１のブロック図。
【考案を実施するための形態】
【００１１】
次に、本発明の実施の形態について添付した図面を参照して説明する。
【実施例１】
【００１２】
図１は、蛍光ランプに用いられる本考案による一の実施の形態にかかる電子安定器の回路図、図２は、図１のブロック図である。図中、Ｖｄｃは外部電源、２００は外部電源Ｖｄｃとつなぐ照明設備例えば蛍光ランプ、１００は外部電源Ｖｄｃと連結されると共に蛍光ランプ２００に電気的に接続された電子安定器を示す。この例においては、図示しないが、５ｍ以上のコードで電子安定器１００と蛍光ランプ２００が接続されているとする。なお、蛍光ランプは一般の蛍光灯であってよく、Ｔ８、Ｔ５或いは他の規格のランプであってもよい。
【００１３】
電子安定器１００は、蛍光ランプ２００に電気的に接続されて、蛍光ランプ２００を点灯させるように作動するものであり、概ね高周波共振点灯モジュール３と、ガス漏えい検出モジュール４と、保護モジュール５とを含む。
【００１４】
高周波共振点灯モジュール３は、蛍光ランプ２００の両端に電気的に接続され、蛍光ランプ２００を点灯させる高周波電圧を生成して発振するように、例えば高周波ハーフブリッジチップＩＣ０１及びトランジスタＱ０１、Ｑ０２から構成されており、さらに蛍光ランプ２００の一端に電気的に接続されたインダクタンス素子Ｔ０１を有する。なお、高周波共振点灯回路３は、従来より汎用されているので、詳細な説明を省略する。
【００１５】
保護モジュール５は、信号が入出力可能に高周波共振点灯モジュール３に接続され、高周波共振点灯モジュール３を動作不能にして、点灯させないように作動される。なお、保護モジュール５の構成は従来から知られているものであり、ここでは詳細な説明を省略する。
【００１６】
ガス漏えい検出モジュール４は、信号が入出力可能に高周波共振点灯モジュール３及び保護モジュール５の間に接続されており、センス部４１とろ過部４２と制御部４３とを備える。
【００１７】
センス部４１は、信号が入出力可能に高周波共振点灯モジュール３に接続され、高周波共振点灯モジュール３による蛍光ランプ２００の電圧差に応じて検出信号を生成して出力するように、例えば誘導コイルで構成され、該誘導コイルでインダクタンス素子Ｔ０１による蛍光ランプ２００の電圧差を検出する。
【００１８】
ろ過部４２は、信号が入出力可能にセンス部４１に接続され、センス部４１からの検出信号における所定周波数以上の周波数をろ過除去するように構成される。このろ過部４２としては具体的には、例えば抵抗器Ｒ０１と容量Ｃ０４からなるローパスフィルタから構成され、検出信号における１/２πＲＣ  Ｈｚのノイズ、即ち長いコード上の浮遊容量起因の高周波ノイズをろ過除去することができる。
【００１９】
制御部４３は、信号が入出力可能にろ過部４２及び保護モジュール５の間に接続され、ろ過部４２としてのローパスフィルタからのろ過除去された検出信号の電位が所定電位値以上のとき、制御信号を生成して保護モジュール５へ出力する構成とし、保護モジュール５を作動させて高周波共振点灯モジュール３を動作不能にして、点灯させないようにする。
【００２０】
この例においては、制御部４３は、ろ過部４２及び保護モジュール５の間に接続された駆動回路４３１と、信号が入出力可能に駆動回路４３１及び保護モジュール５の間に接続されたツェナーダイオードＺ０１と、ダイオードＤ０３とからなっている。
【００２１】
駆動回路４３１は、ろ過部４２としてのローパスフィルタからのろ過除去された検出信号を整流して駆動電位として出力する。ここで、ろ過部４２によって遠距離コードにおける高周波ノイズを除去することにより、この高周波ノイズによる干渉をなくすことができ、駆動回路４３１が整流して出力される駆動電位においてサージの発生を避けることができ、ツェナーダイオードＺ０１が誤って作動することを防止することができる。
【００２２】
ツェナーダイオードＺ０１は、駆動回路４３１からの駆動電位が例えばツェナー電圧以上であると、なだれ的に導通される。ダイオードＤ０３がツェナーダイオードＺ０１の導通により導通され、駆動回路４３１からの駆動電位により保護モジュール５が駆動される。なお、この例においては、ツェナーダイオードＺ０１のツェナー電圧が１５ボルトとするが、これに限定されない。
【００２３】
保護モジュール５は、ダイオードＺ０１、Ｄ０３の導通を通じて駆動回路からの駆動信号が入力されると作動され、高周波ハーフブリッジチップＩＣ０１を接地させ、トランジスタＱ０１、Ｑ０２の駆動を停止し、高周波共振点灯モジュール３を動作不能にさせる。
【００２４】
以上のように構成された電子安定器１００の動作を以下に説明する。
【００２５】
本考案の電子安定器１００は照明設備(図示せず)に取り付けられてコードを介して遠く離れた蛍光ランプ２００に電気的に接続される。電源を入れると、照明設備が作動され、電子安定器１００のガス漏えい検出モジュール４によりインダクタンス素子Ｔ０１を通じて随時蛍光ランプ２００両端による電圧差を検出する。ここで、蛍光ランプ２００にガスの漏えいが発生しない、つまり所定値以上の電圧差が検出されないとき、駆動回路４３１の駆動電位がツェナーダイオードＺ０１のツェナー電圧以下であるとみなされて、保護モジュール５が作動されず、蛍光ランプ２００が持続して点灯する。
【００２６】
蛍光ランプ２００両端による電圧差が大きくなると、高くなったインダクタンス素子Ｔ０１の電位がセンス部４１により検出され、検出信号として出力される。ろ過部４２にてセンス４１からの検出信号におけるノイズをろ過除去して、ろ過処理を経た検出信号を制御部４３へ出力する。
【００２７】
制御部４３において、駆動回路４３１により、ろ過部４２としてのローパスフィルタからのろ過除去された検出信号を整流して駆動電位として出力する。この駆動電位がツェナーダイオードＺ０１のツェナー電圧以上であると、ツェナーダイオードＺ０１をなだれ的に導通させ、ダイオードＤ０３を導通させる。
【００２８】
ダイオードＺ０１、Ｄ０３が導通すると、保護モジュール５が作動され、高周波共振点灯モジュール３を動作不能にする。従って、蛍光ランプ２００の点灯を停止することができ、電子安定器の破壊を避けることができる。
【００２９】
以上により、本考案の電子安定器によれば、ガス漏えいによると思われる蛍光ランプ２００両端に起こる大きい電圧差を正確に検出することができ、蛍光ランプ２００の点灯を停止させることができ、ユーザーが誤って感電することを避けることができると共に、電子安全器の破壊を避けることができる。したがって、照明設備の使用安全性を向上させることができる。
【産業上の利用可能性】
【００３０】
本考案の電子安定器は、遠距離配置の蛍光ランプの点灯を停止させるようにする照明設備に有用である。
【符号の説明】
【００３１】
１００    電子安定器
２００    蛍光ランプ
３    高周波共振点灯回路
４    ガス漏えい検出モジュール
４１    センス部
４２    ろ過部
４３    制御部
４３１    駆動回路
Ｚ０１    ツェナーダイオード
５    保護モジュール
Ｖｄｃ    電源
【図１】
0003157446.tif 000003
【図２】
0003157446.tif 000004